(57)【要約】【課題】補強土のたわみ性を確保することができ、補強土の水平と鉛直の荷重を確実に支持杭に伝達できる補強土盛土を提供する。【解決手段】平面的に敷設した繊維補強材１と、その繊維補強材１の上にほぼ同一厚さで盛り立てた盛土層２とを交互に配置した補強土盛土Ａである。その補強土盛土Ａの内部には、鉛直方向に打ち込んだ支持杭３が配置してある。【選択図】図１
2011026792.tif 000002
【特許請求の範囲】
【請求項１】
平面的に敷設した繊維補強材と、
その繊維補強材の上にほぼ同一厚さで盛り立てた盛土層とを交互に配置した補強土盛土であって、
その補強土盛土の内部には、
鉛直方向に打ち込んだ支持杭が配置してある、
補強土盛土の構造。
【請求項２】
支持杭間にスクリーン状に杭間幕を配置する、
請求項１記載の補強土盛土の構造。
【請求項３】
補強土盛土の構築予定地に支持杭を設置し、
この支持杭の周囲には平面的に繊維補強材を敷設し、
その繊維補強材の上に、支持杭を包囲する状態で、ほぼ同一厚さで盛土層を盛り立て、
この作業を交互に行って構築する、
補強土盛土の構築方法。
【請求項４】
支持杭間にスクリーン状に杭間幕を配置する、
請求項３記載の補強土盛土の構築方法。
【発明の詳細な説明】
【技術分野】
【０００１】
本発明は、補強土盛土の構造と構築方法に関するものである。
【背景技術】
【０００２】
近年、盛土の地震対策や落石対策などでは、安価で施工性に優れる繊維等の補強材を配置して構築する盛土（補強土）が用いられる場合が多い。
しかしながら、斜面上のように構造物の設置スペースが十分に確保できない箇所では、直接基礎を基本とする補強土の底面幅が十分に取れず、水平や鉛直の支持力を得ることができないため、合理的な補強土を用いることが困難とされてきた。
このような場合の従来技術としては、斜面上に大規模な杭打ちと工事用道路を兼ねた桟橋を構築して長尺の杭を打設するといった高価な対策が計画されている。
また、従来技術による対策が高価なことから、対策を先延ばしにしている事例も多くみられている。この結果、地震の度に斜面上の盛土が崩壊し、大きな社会問題ともなりつつある。
そこで、底面幅が十分に取れない現場においても、安価で施工性に優れる補強土の水平や鉛直の支持力を得る技術の開発が望まれている。
また、底面幅が十分に取れない細い補強土で水平支持力が確保された場合、補強土内部で破壊する恐れも発生するため、これら細幅補強土における水平や鉛直の支持力確保のための技術開発にあたっては、たわみ性確保のための技術開発も同時に求められている。
【先行技術文献】
【特許文献】
【０００３】
【特許文献１】特開２００４−２１８２６３号公報
【発明の概要】
【発明が解決しようとする課題】
【０００４】
前記した押さえ盛土は比較的安価であり効果が高いが、以下のような問題点がある。
＜１＞  設置スペースを確保するためのスペースが必要だが、既設盛土や斜面上では取れない場合が多い。
＜２＞  掘削する必要も出てくるが、大きな掘削が必要となる。
＜３＞  設置できたとしても背面土圧に抵抗する支持力を確保できない。
【課題を解決するための手段】
【０００５】
上記のような課題を解決するために本発明の盛土の構造は、平面的に敷設した繊維補強材と、その繊維補強材の上にほぼ同一厚さで盛り立てた盛土層とを交互に配置した補強土盛土であって、その補強土盛土の内部には、鉛直方向に打ち込んだ支持杭が配置してあることを特徴としたものである。
【０００６】
また本発明の補強土盛土の構築方法は、補強土盛土の構築予定地に支持杭を設置し、この支持杭の周囲には平面的に繊維補強材を敷設し、その繊維補強材の上に、支持杭を包囲する状態で、ほぼ同一厚さで盛土層を盛り立て、この作業を交互に行って構築することを特徴としたものである。
【発明の効果】
【０００７】
本発明の盛土の構造と構築方法は以上説明したようになるから次のような効果の少なくともひとつを得ることができる。
＜１＞  本発明の大きな特徴は、杭と補強土を一体化して水平や鉛直の支持力を得ると同時に、補強土のたわみ性も確保するものである。そのために崩壊土砂の土圧による水平力に対し支持杭の剛性で抵抗する構成である。
＜２＞  地盤に設置した杭の杭頭を取り込む形で繊維等の補強材を水平面的に敷設するとともに、杭の盛土延長方向側面に沿って繊維等の補強材を盛土延長方向に敷設しながら盛土して補強土を構築したので、補強土の水平と鉛直の荷重を確実に杭に伝達できるとともに、杭を補強土に埋め込むことで補強土のたわみ性を確保することができる。なおこれらの効果は、動的遠心模型実験により確認している。
＜３＞  杭で支持することから、底面幅が十分に取れない現場においても、補強土の水平や鉛直の支持力を得ることができる。
＜４＞  従来の補強土は底面の摩擦抵抗により水平力に抵抗するため、広い底盤幅を必要としたが、本発明では杭で支持することから、その幅を狭く構成することができる。
＜５＞  底面幅が十分に取れない細い補強土で水平支持力が確保された場合に、補強土内部で破壊することなく十分なたわみ性を確保することができる
＜６＞  斜面上のように構造物の設置スペースが十分に確保できない箇所であっても、安価で施工性に優れる繊維等の補強材を配置して構築する補強土を設置することができる。その結果、従来技術が高価なためこれまで先延ばしにされがちであった斜面上の盛土対策の普及に貢献できる。
＜７＞  支持杭により補強されているため、補強土の鉛直荷重に対して、地盤反力が従来より小さくすむ。
＜８＞  いかなる場所や構造物の規模にも適用は可能であるが、特に施工用地の確保が困難な斜面上の盛土対策といった現場で、より大きな経済効果が期待できる。
【図面の簡単な説明】
【０００８】
【図１】本発明の盛土の構造の実施例の説明図。
【図２】盛土の構造の他の実施例の説明図。
【図３】盛土の構築方法の実施例の説明図。
【図４】盛土の設置状態の説明図。
【発明を実施するための形態】
【０００９】
以下図面を参照しながら本発明の好適な実施の形態を詳細に説明する。
【実施例】
【００１０】
＜１＞  全体の構成。
本発明は、平面的に敷設した繊維補強材１と、その繊維補強材１の上にほぼ同一厚さで盛り立てた盛土層２とを交互に配置した補強土盛土であって、その補強土盛土の内部には鉛直方向に打ち込んだ支持杭３が配置してあるものである。
このように、地盤に設置した支持杭３の杭頭を、補強土盛土Ａ内に埋設した構造を特徴とする。
その場合に盛土とは、繊維補強材１で土砂を包み込んで構築する盛土、すなわち補強土体である。
このように、地盤に設置した支持杭３の杭頭を取り込む形で繊維等の補強材１を平面的に敷設しながら盛土して補強土盛土Ａを構築してゆくので、その結果、盛土の水平支持力とたわみ性、ならびに鉛直支持力を増強することができる。
【００１１】
＜２＞  繊維補強材。
まず、補強土盛土Ａを形成する繊維補強材１として、ジオテキスタイルについて説明する。
ここでいうジオテキスタイルとは、ＪＩＳＬ０２２１に定義された狭義のジオテキスタイル以外に、ジオグリッド、ジオネット又はジオテキスタイル関連製品を指す。
製品の形態として、不織布、織布、編物、ジオグリッド、ジオネット、複合製品などが市販されているから詳細な説明は省略するが、それらの市販製品を広く採用することができる。
【００１２】
＜３＞形状保持枠。
盛土の前面の形状を保持するために、形状保持枠４を使用する。
この形状保持枠４は金属材料により格子状に形成した網材をＬ字状に折り曲げて、立ち上がり部と水平部によって形成する。
形状保持枠４を形成する網材としては、エキスパンドメタルや溶接により網状に形成された溶接金網が挙げられる。
また、以上の金属材料は、腐食対策が行われていることが好ましい。
前記形状保持枠４の立ち上がり部の裏側には、補強土盛土Ａの前面緑化のために植生シート又は植生マットを取り付ける場合もある。
この植生シートとしては、例えば不織布や紙、天然材料を用いたシート材などに種子を貼着したものが挙げられる。
また、植生マットとしては、例えば不織布や紙、天然材料を用いたマットなどを筒状に加工し、その筒状内部に土砂と肥料と種子とを含有させたものが挙げられる。
【００１３】
＜４＞支持杭。
本工法に用いる支持杭３は、たとえば鋼製のＨ型鋼を使用する。
その形状に特に限定するものではないが、施工用地の確保が困難な斜面上の盛土対策といった現場では、Ｈ型鋼ならば比較的簡易に打設が可能であるので採用しやすい。
さらに、斜面より上部の荷重については補強土盛土Ａで抵抗するから、比較的短尺で剛性もそれほど大きくないＨ型鋼のような簡易な支持杭３を用いることができる。
このように、一般に斜面崩壊防止などで用いられる長尺で剛性の高い支持杭３は必要ないため、支持杭３の打設や搬入出路に伴う桟橋や重機は、簡易なもので足りる。
【００１４】
＜５＞盛土材料。
補強土盛土Ａを構成する盛土材料としては一般的な土砂を採用できる。
特に斜面上の盛土対策として補強土を構築する場合には、既設盛土の掘削土を用いて構築することができるため、この点においても残土の搬出や構造物の構築材料の搬入が軽減できるので、より高い経済を確保することが可能となる。
【００１５】
＜６＞構築方法。
次に本発明の盛土の構築方法について説明する。
【００１６】
＜７＞支持杭の打設。
まず盛土の基礎部分に一定面積の平面部を造成する。
法面の一部に盛土を形成する場合には、法面の一部を水平に掘削して平面部を造成する。
この平面部に、所定の位置に、間隔をあけて支持杭３を打設する。
支持杭３の打設の段階では、平面部には、なにも配置していないので、打設作業は容易である。
【００１７】
＜８＞形状保持枠の設置。
補強土を盛土する予定位置の前面には、形状保持枠４を同一平面に沿って並べて設置する。
形状保持枠４を並べると、断面Ｌ字状の形状保持枠４の立ち上がり部が、補強土の１層ごとの前面に位置することになる。
同時に、断面Ｌ字状の形状保持枠４の水平部が、補強土の１層ごとの層間に埋設されて位置することになる。
その結果、複数の形状保持枠４は、その立ち上がり部が水平方向に１列を形成して、形状保持枠４の水平部が補強土の各層に沿ってほぼ平面状に並ぶように設置されている。
後述するように補強土盛土層を積み重ねてゆく場合に、上下段の形状保持枠４は、上下方向には縦一列に並ぶことなく、１段ごとに千鳥状に設置することも可能である。
【００１８】
＜８＞繊維補強材の敷設。
ほぼ水平方向へならべて設置した形状保持枠４の各列の後部には、各形状保持枠４ごとにそれぞれ一枚の繊維補強材１、たとえば前記ジオテキスタイルの一側縁部を連結固定する。
各形状保持枠４の幅と、帯状の繊維補強材１の幅を同一に構成しておけば、各形状保持枠４には、それぞれ一枚の繊維補強材１を、補強土盛土Ａの奥行き方向に向けて敷設することができる。
補強土盛土を法面の裾に構築する場合には、敷設する繊維補強材１の長さは、その尾端が法面に接する程度の長さに設定する。
繊維補強材１の前端は、形状保持枠４の位置よりも長い寸法に設定しておき、あまった余長部は折り返しておく。
繊維補強材１の敷設時には、平面部にはすでに支持杭３が打設してあるが、支持杭３は点状に配置してあるから、繊維補強材１に切り込みを入れて支持杭３を避けて繊維補強材１を敷設することは容易である。
あるいは、支持杭３の打設位置を、敷設する繊維補強材１の割り付けを前提に決定しておけば、図のように繊維補強材１と繊維補強材１の間に支持杭３を位置させることができる。
この繊維補強材１の補強土盛土Ａの奥行き方向（前後方向）への敷設長さは、補強土壁構造物１１が法面からの土圧に対して自重によって抵抗し、安定したもたれ式擁壁として構築するための、もたれ式擁壁としての安定性に必要な土塊重量を満たす長さに設定する。
【００１９】
＜９＞土砂の撒き出し。
このように、補強土盛土Ａの前面に横一列に複数の形状保持枠４を並べ、各形状保持枠４の背面には繊維補強材１を、補強土盛土Ａの奥行き方向に並べる。
その後に、形状保持枠４の裏側から繊維補強材１の間の上面に、１層分の盛土材料をバックホウ等により所定の厚さにまき出して１層の盛土層を構築する。
そして巻き出した盛土層の土砂を振動コンパクタ、振動ローラ等の締固め機械を使用して盛土材料を締め固める。
土砂の撒き出し範囲には支持杭３が設立してあるが、平面的には支持杭３の位置は点であるから、土砂の撒き出し、転圧には際して障害にならない。
【００２０】
＜１０＞土砂の包みこみ。
形状保持枠４の上で折り返していた繊維補強材１の余長部を補強土盛土側に戻すと、余長部が１層の盛土層の端部を包み込むことになる。
その結果、各盛土の１層の前端は、繊維補強材１で包みこまれ、その外側には形状保持枠４が位置してその形状が維持されることになる。
【００２１】
＜１１＞積み上げ。
続けて、上記と同様の工程で、一層の盛土層２の端部の上に形状保持枠４を設置し、形状保持枠４に接続した繊維補強材１を敷設する。
その繊維補強材１の上に盛土材を巻き出し、その表面を転圧する。
一層の厚さ、すなわち繊維補強材１間の間隔は、たとえば０．１〜１．２ｍ程度を採用する。
こうして、設計した高さまで上記工程を繰り返すことにより、内部に繊維補強材１を敷設し、かつ内部に支持杭３を位置させた補強土盛土Ａが完成する。
【００２２】
＜１２＞他の実施例（図２）
上記の実施例は支持杭３を独立して盛土体の内部に位置させる構成であった。
しかし支持杭３と補強土盛土Ａとの一体性をさらに向上させるために、支持杭３間にスクリーン状に杭間幕５を配置する構成を採用することもできる。
この杭間幕５は、前記の繊維補強材１と同一の材料を使用できる。
その場合に杭間幕５は、一度に支持杭３の全高さにわたって展開するのではなく、盛り立てる１層の厚さ分だけ展開する。
そしてその杭間幕５の両側に土砂を盛り立てて転圧すれば、杭間幕５が補強土盛土Ａの構築の障害になることはない。
杭間幕５と支持杭３との取り付けは、鋼線などによって結束すればよい。
【符号の説明】
【００２３】
１：繊維補強材
２：盛土層
３：支持杭
４：形状保持枠
５：杭間幕
【図１】
2011026792.tif 000003
【図２】
2011026792.tif 000004
【図３】
2011026792.tif 000005
【図４】
2011026792.tif 000006